(57)【要約】【課題】苗や樹木の根を傷めることなく支柱を立てることが可能であり、かつ支柱を立てる位置選定の自由度と支柱を立てる作業性を向上させ、さらに支柱が傾斜したり倒れるのを確実に防止できるプランターを提供する。【解決手段】プランターの容器の周辺に１本以上の円形貫通筒型のパイプを設け、支柱を該円形貫通筒型パイプに挿入して支柱を立てることができる容器と、該容器の底面に敷かれたすのこに１本以上の円形貫通筒型のパイプを設け、支柱を該円形貫通筒型パイプに挿入して支柱を立てることができるすのこを組み合わせたプランターとする。【選択図】図１
0003146679.tif 000002
【実用新案登録請求の範囲】
【請求項１】
植物の地下部を保護し養分を補給する用土を入れる容器と水はけを良くするすのこから成るプランターにおいて、該容器に支柱用円形貫通筒型ポールと該すのこに支柱用円形貫通筒型ポールを設けたことを特徴とするプランター
【考案の詳細な説明】
【技術分野】
【０００１】  プランターの容器と該容器の底面に敷かれたすのこに支柱用の円形貫通筒型ポールを設け、プランターに植えられた植物を支える支柱を用土の状態に関係なく簡単に、かつ安定に立てることができ、また風などにより植物が揺さぶられても、支柱が傾斜したり転倒することのないプランターに関する。
【背景技術】
【０００２】  プランターはベランダなど土のない所で、装飾用の草花、野菜、小形樹木などの植物を育てるのに向いているため、一般家庭では家庭菜園としたり、花壇の代わりに使用されることが多い。プランターに苗や樹木を植える場合、あるいは種子を蒔く場合はプランターの容器の底面に敷かれたすのこの上に用土を詰めるが、底部には水はけを良くするためやや大きめの粒子の用土を適度に入れ、その上に改めて養分を含む用度を入れるのが一般的である。植物の根の発育を阻害しないように、用度は詰め込みすぎないように柔らかく入れることが重要であるとされている。【０００３】  プランターでは成長途中、あるいは成長後のトマト、なすなどの苗が倒れないように、また、蔓性植物のきゅうりやゴーヤなどでは蔓を絡ませるための支柱を立てることが多い。支柱は用土に差し込んで立てることになるが、市販のプランターでは用土の深さが不十分であり、また、用土は植物の育成を考慮すると十分な硬さが得にくいので、用土だけで支柱を十分に固定することができない。そのうえ、苗の成長に伴って風の影響が大きくなるので、支柱が傾斜したり転倒するなど支柱自体が極めて不安定になり、支柱本来の機能を果たせなくなる問題がある。
【考案の開示】
【考案が解決しようとする課題】
【０００４】  図２に一例として従来のプランターの上面図と側面図を示す。５は容器、６はすのこ、１０１は従来のプランターである。容器５は上部が開放され、用土が常に水分を保ちつつ余分な水分が排出されるように、底面には水抜きの排水穴（図示していない）が設けられた構造になっているのが一般的である。多くの植物は根も呼吸をしているので、それが阻害されると育成が悪くなるので、それを避けるためすのこ６は容器５の底面に余分な水分が集まりやすくし、排水穴から確実に余分な水分が排出されるようにするために設けられている。【０００５】  容器内の用土の深さは容器５の深さで決められ、また、用土の硬さは根の発育を優先させるには、用土は詰め込みすぎないように柔らかく入れることが重要であるから、用土だけで支柱を長時間にわたって確実に固定するには不十分である。さらに、風によって苗が揺さぶられると、支柱の用土による固定部分も同時に揺さぶられるので固定強度がさらに弱体化する。この結果、支柱が傾斜したり、場合によっては倒れたりすることがある。この様な時は支柱を再度立て直すことになるが、手間がかかるばかりでなく、苗や樹木の根を痛める危険がある。【０００６】  図３に従来の他のプランターの上面図と側面図を示す。５は容器、７は支柱付きすのこ、８−１、８−２、８−３はすのこに固定された支柱、１０２は従来の他のプランターである。容器５の機能は図２の容器と同じである。支柱付きすのこ７は図２の欠点を改善するため、図２のすのこに支柱８−１、８−２、８−３を固定したものである。支柱８−１、８−２，８−３はすのこに固定されているので、図２のプランターの問題は解決されるが、取り外しができないので支柱が不要なときは邪魔であり、支柱が長いために保管場所のスペースが大きくなり、また、持ち運びには不便である。【０００７】  上述した問題点はプランターの容器の周辺に１本以上の円形貫通筒型のパイプを設け、支柱を該円形貫通筒型パイプに挿入、あるいは引き抜くことができる容器と、該容器の底面に敷かれたすのこに１本以上の円形貫通筒型のパイプを設け、支柱を該円形貫通筒型パイプに挿入、あるいは引き抜くことができるすのこを組み合わせたプランターとすることで解決することができる。【０００８】  本考案は苗や樹木の根を傷めることなく支柱を取り付け、取り外しすることが可能であり、かつ支柱を立てる位置選定自由度と支柱を立てる作業性が向上し、さらに支柱が傾斜したり倒れるのを確実に防止でき、保管場所の省スペース化、持ち運びの利便性向上が得られるプランターを提供することにある。
【課題を解決するための手段】
【０００９】  容器と該容器の底面に敷かれるすのこから成るプランターにおいて、容器の周辺に１本以上の円形貫通筒型パイプを設け、支柱を該円形貫通筒型パイプに挿入して立てることができる容器と、該容器の底面に敷かれるすのこに用土の深さより長い１本以上の円形貫通筒型パイプを底面に設け、支柱を該円形貫通筒型パイプに挿入して立てることができるすのこを組み合わせる。
【考案の効果】
【００１０】  本考案によるプランターは容器の周辺と該容器の底面に敷かれるすのこに固定された円形貫通筒型パイプに支柱を挿入するだけで支柱を立てることが可能なので、支柱立ての作業性向上、苗や樹木の根を痛める危険性排除、支柱の傾斜、転倒防止、保管場所の省スペース化、持ち運びの利便性向上が同時に図れる。
【考案を実施するための最良の形態】
【００１１】  図１は本考案に関わる円形貫通筒型パイプを用いたプランターの一実施例である。１は容器、２はすのこ、３−１〜３−４は容器１の壁面に設けられた円形貫通筒型パイプ、４−１〜４−４はすのこ２に設けられた円形貫通筒型パイプ、１００は本考案のプランターである。【００１２】  図１において円形貫通筒型パイプ３−１〜３−４は容器１の周辺に沿って設けられ、円形貫通筒型パイプ４−１〜４−４は容器１の底面に敷かれるすのこのセンターに設けられている。円形貫通筒型パイプ３−１〜３−４と、円形貫通筒型パイプ４−１〜４−４は円形貫通筒型パイプであり、用土の硬さや深さに関係なく円形支柱を容易に挿入することができるので、簡単な作業で安定した円形支柱を立てることができる。【００１３】  円形貫通筒型パイプ３−１〜３−４と、円形貫通筒型パイプ４−１〜４−４は貫通になっているので、土やごみがパイプに入ったとしても、土やごみを除去することは容易である。これにより容器１に用土を入れる場合などの作業時に、円形貫通筒型パイプ３−１〜３−４や円形貫通筒型パイプ４−１〜４−４に用土が誤って入っても、円形貫通筒型パイプ３−１〜３−４と円形貫通筒型パイプ４−１〜４−４は詰ることはないので、用土入れ作業や植え替え作業を効率的に行うことができる。【００１４】  円形貫通筒型パイプ３−１〜３−４の長さは容器１の深さの半分程度あれば十分である。一方、円形貫通筒型パイプ４−１〜４−４の長さは容器１の周辺までの長さがあれば、用土を容器１に入れた後でも支柱を立てることができる。仮に、円形貫通筒型パイプ４−１〜４−４の長さが容器１の周辺までの長さがなくても、用土を入れる前に支柱を立ておけば問題ない。【００１５】  本考案に関わるプランターは決められた円形貫通筒型パイプの位置に支柱を挿入すれ安定した支柱を立てることができるので、支柱立ての作業性を向上させ、苗や樹木の根を痛める危険性を排除することが可能となる。【００１６】  本考案による円形貫通筒型パイプを設けたプランターは従来のプランターと比較し構造が複雑になるが、プラスチックで一体整形すれば容易に製造することができるので、コストアップになることはほとんどない。
【図面の簡単な説明】
【００１７】
【図１】本考案に関わるプランターの構造例を示す全体図である。
【図２】従来のプランターの構造例を示す全体図である。
【図３】従来の他のプランターの構造例を示す全体図である。
【符号の説明】
【００１８】  １  円形貫通筒型パイプ付き容器
２  円形貫通筒型パイプ付きすのこ
３−１、３−２、３−３、３−４  容器に固定された円形貫通筒型パイプ
４−１、４−２、４−３、４−４  すのこに固定された円形貫通筒型パイプ
５  従来の容器
６  従来のすのこ
７  支柱付きすのこ
８−１、８−２、８−３  すのこに固定された支柱
１００  本考案のプランター
１０１  従来のプランター
１０２  従来の他のプランター
【図１】
0003146679.tif 000003
【図２】
0003146679.tif 000004
【図３】
0003146679.tif 000005